(57)【要約】【課題】  電子機器全体に電力を供給することなく、ファームウェア等のプログラムの更新を必要とする電子機器のみにファームウェア等のプログラムの更新処理を行う。【解決手段】近距離無線通信デバイスを用いて電子機器に給電するとともに電子機器の近距離無線通信デバイスと通信を行うことにより電子機器に格納されたファームウェアの版数を確認し、ファームウェアの更新が必要な場合には、電子機器の電子スイッチを動作させることで、電子機器の構成のうちファームウェアの更新に必要な構成に電力を供給し、電子機器に電子機器に格納されているファームウェアより新しい版数のファームウェアを送信してファームウェアを更新させるとともに電子機器の近距離無線通信デバイスに更新後のファームウェアの版数情報を記憶させる。【選択図】  図１
2016099848.tif 000002
【特許請求の範囲】
【請求項１】
電子機器に記憶されている情報を管理する情報管理システムであって、
前記電子機器および電子機器に格納された情報の版数を確認する確認装置とからなり、
前記電子機器および前記確認装置の双方に給電およびデータの送受信を行う近距離無線通信デバイスを備え、
前記確認装置はさらに表示部を有し、前記近距離無線通信デバイスを用いて前記電子機器に給電するとともに前記電子機器の近距離無線通信デバイスと通信を行うことにより前記電子機器に格納された情報の版数を確認し、確認した結果を前記表示部に表示することを特徴とする情報管理システム。
【請求項２】
請求項１に記載の情報管理システムであって、
さらに前記電子機器に格納された情報をより新しい版数の情報に更新するための更新装置を有し、
前記電子機器は、電子スイッチをさらに有し、
前記更新装置が前記電子機器の電子スイッチを動作させることで、前記電子機器は、前記電子機器の構成のうち情報の更新に必要な構成に前記確認装置から近距離無線通信デバイスを介して給電した電力を供給し、前記更新装置から前記電子機器に前記電子機器に格納されている情報より新しい版数の情報を送信することを特徴とする情報管理システム。
【請求項３】
請求項２に記載の情報管理システムであって、
前記更新装置は前記電子機器に対して機器認証情報を送信し、前記電子機器からの認証応答情報を受信すると前記新しい版数の情報の送信を行い、前記電子機器からの認証応答情報を受信しない場合には、機器認証情報を再送するとともに再送回数を計数し、前記再送回数が予め設定した回数以上の場合には、前記電子機器に対して前記電子機器の電子スイッチを停止させる制御を行うことを特徴とする情報管理システム。
【請求項４】
請求項３に記載の情報管理システムであって、
前記更新装置は、前記電子機器に前記新しい版数の情報の送信を終了すると送信終了情報を送信し、前記電子機器からの送信終了応答情報を受信すると前記電子機器に対して前記新しい版数の情報の書き込みを指示し前記電子機器から書き込み終了情報を受信すると前記電子機器の近距離無線通信デバイスに書き込んだ情報の版数情報を記録させ、前記電子機器からの送信終了応答情報を受信しない場合には、前記新しい版数の情報を再送するとともに再送回数を計数し、前記再送回数が予め設定した回数以上の場合には、前記電子機器に対して前記電子機器の電子スイッチを停止させる制御を行うことを特徴とする情報管理システム。
【請求項５】
請求項３に記載の情報管理システムであって、
前記更新装置は表示部を有し、前記機器認証情報の再送回数が予め設定した回数以上の場合には、前記電子機器の機器認証ができなかったことを表示部に表示することを特徴とする情報管理システム。
【請求項６】
請求項４に記載の情報管理システムであって、
前記更新装置は表示部を有し、前記送信終了情報の再送回数が予め設定した回数以上の場合には、前記電子機器に情報を送信できなかったことを表示部に表示することを特徴とする情報管理システム。
【請求項７】
電子機器および電子機器に格納された情報の版数を確認する確認装置とからなるシステムにおいて電子機器に記憶されている情報を管理する情報管理方法であって、
給電およびデータの送受信を行う近距離無線通信デバイスを備えた電子機器に対し、給電およびデータの送受信を行う近距離無線通信デバイスと表示部を備えた確認装置を用いて、前記電子機器に給電し
前記電子機器の近距離無線通信デバイスと通信を行うことにより前記電子機器に格納された情報の版数を確認し、
確認した結果を前記確認装置の表示部に表示することを特徴とする情報管理方法。
【請求項８】
請求項７に記載のシステムにさらに前記電子機器に格納された情報をより新しい版数の情報に更新するための更新装置を有するシステムにおける情報管理方法であって、
前記更新装置が前記電子機器の電子スイッチを動作させることで、前記電子機器は、前記電子機器の構成のうち情報の更新に必要な構成に前記確認装置から近距離無線通信デバイスを介して給電した電力を供給し、
前記更新装置が前記電子機器に前記電子機器に格納されている情報より新しい版数の情報を送信することを特徴とする情報管理方法。
【請求項９】
請求項８に記載の情報管理方法であって、
前記更新装置は前記電子機器に対して機器認証情報を送信し、
前記電子機器からの認証応答情報を受信すると前記新しい版数の情報を送信し、
前記電子機器からの認証応答情報を受信しない場合には、前記機器認証情報を再送するとともに再送回数を計数し、
前記再送回数が予め設定した回数以上の場合には、前記電子機器に対して前記電子機器の電子スイッチを停止させる制御を行うことを特徴とする情報管理方法。
【請求項１０】
請求項９に記載の情報管理方法であって、
前記更新装置は、前記電子機器に前記新しい版数の情報の送信を終了すると送信終了情報を送信し、
前記電子機器からの送信終了応答情報を受信すると前記電子機器に対して前記新しい版数の情報の書き込みを指示し前記電子機器から書き込み終了情報を受信すると前記電子機器の近距離無線通信デバイスに書き込んだ情報の版数情報を記録させ、
前記電子機器からの送信終了応答情報を受信しない場合には、前記新しい版数の情報を再送するとともに再送回数を計数し、
前記再送回数が予め設定した回数以上の場合には、前記電子機器に対して前記電子機器の電子スイッチを停止させる制御を行うことを特徴とする情報管理方法。
【請求項１１】
請求項９に記載の情報管理方法であって、
前記更新装置は表示部を有し、前記機器認証情報の再送回数が予め設定した回数以上の場合には、前記電子機器の機器認証ができなかったことを表示部に表示することを特徴とする情報管理方法。
【請求項１２】
請求項１０に記載の情報管理方法であって、
前記更新装置は表示部を有し、前記送信終了情報の再送回数が予め設定した回数以上の場合には、前記電子機器に情報を送信できなかったことを表示部に表示することを特徴とする情報管理方法。
【発明の詳細な説明】
【技術分野】
【０００１】
本発明は、電子機器内部に格納されている情報の管理技術に関し、特に、電子機器に記憶された電子機器本体の稼働時に使用される情報の管理技術に関する。
【背景技術】
【０００２】
電子機器は、ＣＰＵ（Central Processing Unit）、ファームウェア等のプログラムを記憶するＨＤＤ（Hard Disk Drive）、フラッシュメモリ等の不揮発性の記憶手段を内蔵しており、記憶手段に記憶されているファームウェア等のプログラムがＣＰＵによって実行されることで所期の機能が実現される構成となっている。ここで、不揮発性の記憶手段に記憶されているファームウェア等のプログラムは、それらに内在するバグの修正や、電子機器の機能・性能の向上等の理由で更新する必要が生ずることがある。ファームウェア等のプログラムの更新は、通常、電子機器の電源をオンすると共にＰＣ（Personal Computer）等を接続した状態で、ＰＣ等から電子機器へ更新対象のファームウェア等のプログラムを転送することで、更新対象のファームウェア等のプログラムを電子機器に内蔵されているＲＡＭ（Random Access Memory）等に一時記憶させた後に、ＲＡＭ等に一時記憶された更新対象のファームウェア等のプログラムを、電子機器に内蔵されているＣＰＵによって不揮発性の記憶手段に書き込むことによって成される。
【０００３】
箱などに梱包された電子機器のファームウェア等のプログラムの更新は、箱を開梱し箱に収められていた電子機器を取りだし梱包する手間を省くため、非接触給電によるファームウェア等のプログラムの更新方法が特許文献１に開示されている。
【先行技術文献】
【特許文献】
【０００４】
【特許文献１】特開２０１２−２３０４７４号公報
【発明の概要】
【発明が解決しようとする課題】
【０００５】
特許文献１は、非接触給電により、梱包したまま電子機器のファームウェア等のプログラムを更新する方法を開示している。しかし、ファームウェア等のプログラムを更新する必要がない電子機器についても非接触給電し、機器全体を稼働させる電力を供給した後でないと更新の要否を判定できないため、ファームウェア等のプログラムの更新作業に使われる電力の消費量が多くなるという問題がある。また、複数の電子機器を近接した状態で管理している場合、非接触給電を行う対象装置以外の電子機器にも非接触給電を行ってしまい、ファームウェア等のプログラムの更新を必要としない電子機器に対してもファームウェア等のプログラムの更新を行ってしまう問題がある。
【０００６】
本発明は、上記課題を解決するためになされたもので、電子機器全体に電力を供給することなく、ファームウェア等のプログラムの更新を必要とする電子機器のみにファームウェア等のプログラムの更新処理を行うことを目的とする。
【課題を解決するための手段】
【０００７】
上記課題を解決するために、本発明においては、一例として、電子機器および電子機器に格納された情報の版数を確認する確認装置とからなり、電子機器に記憶されている情報を管理する情報管理システムにおいて、電子機器および確認装置に給電およびデータの送受信を行う近距離無線通信デバイスを備え、確認装置はさらに表示部を有し、近距離無線通信デバイスを用いて電子機器に給電するとともに電子機器の近距離無線通信デバイスと通信を行うことにより電子機器に格納された情報の版数を確認し、確認した結果を表示部に表示するようにしたものである。
【０００８】
また、さらに電子機器に格納された情報をより新しい版数の情報に更新するための更新装置を有し、電子機器は、電子スイッチをさらに有し、更新装置が電子機器の電子スイッチを動作させることで、電子機器は、電子機器の構成のうち情報の更新に必要な構成に確認装置から近距離無線通信デバイスを介して給電した電力を供給し、更新装置から電子機器に電子機器に格納されている情報より新しい版数の情報を送信するようにしたものである。
【発明の効果】
【０００９】
本発明によれば、電子機器全体に電力を供給することなく、ファームウェア等のプログラムの更新を必要とする電子機器のみにファームウェア等のプログラムの更新処理を行うことができる。
【図面の簡単な説明】
【００１０】
【図１】本発明の一実施例における電子機器の情報管理システムの構成を説明する図である。
【図２】本発明の一実施例における電子機器および保守端末の構成を説明する図である。
【図３】本発明の一実施例における電子機器および保守端末の構成を説明する図である。
【図４】本発明の一実施例における電子機器がファームウェアの更新対象であるかどうかの判定処理を説明するフローチャートである。
【図５】本発明の一実施例における電子機器に対するファームウェア更新処理を説明するフローチャートである。
【図６】本発明の一実施例における電子機器に対するファームウェア更新処理を説明するフローチャートである。
【図７】本発明の一実施例における電子機器の情報管理システムの構成を説明する図である。
【図８】本発明の一実施例における電子機器および保守端末の構成を説明する図である。
【図９】本発明の一実施例における電子機器に対するファームウェア更新処理を説明するフローチャートである。
【図１０】本発明の一実施例における電子機器に対するファームウェア更新処理を説明するフローチャートである。
【発明を実施するための形態】
【００１１】
以下、図面を参照して本発明の実施形態を説明する。
まず、本発明の概要について一例を挙げて説明する。
本発明は電子機器の不揮発性の記憶手段に記憶されているファームウェアを書き換える更新処理を行う更新手段(実施例においては保守端末)と、ファームウェアの版数などの情報を監視する監視手段（実施例においてはソフトウェア確認端末）、およびファームウェアの更新時に、電子機器に供給する給電手段（実施例においては、ＮＦＣ送受信部、非接触電力伝送送信機／受信機）を含んで構成されている。
【００１２】
ファームウェア更新対象の電子機器は、ＮＦＣ（Near Field Communication）規格を用いて近距離無線通信により給電およびデータの送受信を行うデバイスを有し、ソフトウェア確認端末によりＮＦＣにより電力供給を行うことにより、電子機器の梱包を開梱したり電源ケーブルを接続したりする必要がなく梱包されている状態でファームウェア情報の確認を行うことができる。ファームウェア更新対象の電子機器は、さらには、保守端末とＷｉＦｉ（Wireless Fidelity）通信を行い、ファームウェアを更新する。このとき、ＷｉＦｉ認証および保守端末と電子機器間で機器認証を行うことによりセキュリティも確保される。
【００１３】
また、本発明は、ソフトウェア確認端末のＮＦＣ送受信部から電子機器のＮＦＣデバイスに電力を供給し、ソフトウェア確認端末が電子機器のＮＦＣデバイスよりファームウェアの版数情報を受信し、更新対象の電子機器を選択するものであり、ＮＦＣデバイスへの給電電力のみでファームウェア更新対象の電子機器の選択が可能であることを特徴とする。
【００１４】
また、ソフトウェア確認端末は、ファームウェアを更新対象として選択された電子機器に対して、ＮＦＣによる電力給電を、ファームウェアを更新するために必要最小限の構成に対して行う。
【００１５】
また、ファームウェアを更新対象として選択された電子機器に対して、ＮＦＣによる電力給電行う際に、保守装置からの制御により電子機器の電子スイッチをオンすることで、ファームウェアを更新対象外の電子機器が近接している場合でも、ファームウェアを更新対象外の電子機器への電力給電が行われないようすることを特徴とする。
【００１６】
また、本発明は、保守端末が電子機器を識別する機器認証情報を送信し、電子機器から受信した応答情報に基づいてＷｉＦｉ通信によりファームウェアの送信を行い電子機器の不揮発性の記憶手段に記憶されているファームウェアを更新する。
【００１７】
また、本発明の保守端末は、機器認証情報の応答情報を正しく受信できなかったことを判定し、再度、認証情報の応答要求を電子機器に送信することを特徴とする。更に、応答要求を送信してこない場合には、機器認証ができないことを表示部に表示することを特徴とする。
【００１８】
また、本発明の保守端末は、電子機器からの受信結果情報に基づき、電子機器が正しくファームウェアを受信できたか否かを判定し、電子機器が正しくファームウェアを受信できなかった場合には、再度、ファームウェアを送信することを特徴とする。更に、複数回に渡りファームウェアを送信しても電子機器が正しくファームウェアを受信できない場合には、電子機器がファームウェアを受信できなかったことを保守端末の表示部に表示することを特徴とする。
【００１９】
また、本発明の電子機器の別の構成においては、ファームウェアを更新対象の電子機器を選択した後に、電子機器の電子スイッチにより非接触伝送受信機をオンする構成とすることにより、非接触伝送送信機が近接にあった場合でも、電子機器の非接触伝送受信機が自動でオンして電源が供給されることがないことを特徴とする。
【００２０】
また、本発明の電子機器は、非接触給電を行うために、ファームウェア更新時に電力供給が不安定になり電子機器の電源がオフしてしまった場合も、ファームウェア更新完了時にＮＦＣデバイスにファームウェア更新完了の記録とファームウェア版数情報（バージョン）を書き込む処理を行うことで、再びファームウェアの更新作業を行うことを可能とすることを特徴とする。
【実施例１】
【００２１】
図１は、本発明の一実施例における電子機器の情報管理システムの構成を説明する図である。
図１に示す本実施例の電子機器の情報管理システムは、電子機器１０と、電子機器１０のファームウェアの版数情報を確認するソフトウェア確認端末２０と、電子機器１０のファームウェアの更新処理を行う保守端末３０から構成される。
ソフトウェア確認端末２０は、ＮＦＣを用いた給電および情報の送受信を制御するＮＦＣコントローラ２０１とＮＦＣを用いて給電および情報の送受信を行うＮＦＣ送受信部２０２と表示部２０３を具備する。電子機器１０は、ＮＦＣ送受信部１０４とデータ保持部１０５を具備するＮＦＣデバイス１０１と、ファームウェアを格納するフラッシュＲＯＭ（Read Only Memory）１０２、ＷｉＦｉデバイス１０３を具備する。
【００２２】
図１のソフトウェア確認端末２０の操作部（図示せず）を作業員が操作することによりＮＦＣ送受信部２０２より電子機器１０のＮＦＣ送受信部１０４に電源が供給される。ソフトウェア確認端末２０のＮＦＣコントローラ２０１は、ＮＦＣデバイス１０１にアクセスし、データ保持部１０５に記憶されているファームウェア更新完了情報およびファームウェア版数情報を受信し、それらの情報を表示部２０３に表示する。
【００２３】
ソフトウェア確認端末２０の表示部２０３に表示した情報に基づいて作業員がファームウェア更新対象ではないと判断した場合、または予めソフトウェア確認端末２０に設定してある版数情報に基づいてソフトウェア確認端末２０がファームウェア更新対象ではないと判断した場合には、電子機器１０のファームウェア更新作業は終了となる。本実施例では、ＮＦＣ給電のみでファームウェアの更新要否を判定できるので、電子機器１０内の全て構成に通電することなく、電子機器１０がファームウェア更新対象であるか否かを判定することができる。また、本実施例においては、保守端末３０とソフトウェア確認端末２０を別の端末としたことにより、ソフトウェア確認端末２０の小型化ができ、ファームウェアの更新が頻繁に行われない場合は、小型の装置で容易にファームウェアの版数確認ができる利点がある。また、ファームウェアの更新要否の確認が必要な電子機器１０が多数ある場合には、ソフトウェア確認端末２０および保守端末３０を、それぞれの作業に必要な数用意することができる。
【００２４】
図２は、本発明の一実施例における電子機器および保守端末の構成を説明する図である。
電子機器１０は、ＮＦＣデバイス１０１と、メインＣＰＵ１１４と、メインメモリ１１３と、バススイッチ１１５と、フラッシュＲＯＭ１０２と、ＷｉＦｉ  Ｉ／Ｆ（interface）１１６を有するＷｉＦｉデバイス１０３と、電子スイッチ１１１と、各種の信号を処理する信号処理部１１２とを備えている。メインＣＰＵ１１４によって実行されるファームウェアはフラッシュＲＯＭ１０２に予め記憶されている。ＮＦＣデバイス１０１から電源が供給されると、メインＣＰＵ１１４はファームウェアをフラッシュＲＯＭ１０２からメインメモリ１１３に展開して実行することで電子機器１０の各部の動作制御や信号処理部１１２における信号処理、外部機器との通信等の処理を行う。
【００２５】
保守端末３０は、電子機器１０とＷｉＦｉ通信を行うためのＷｉＦｉ  Ｉ／Ｆ３０１と、保守端末の各部を制御するとともにファームウェア更新処理を実行するＣＰＵ３０２、プログラムなどを記録するメモリ３０３、予め設定しておく設定情報などが格納されているハードディスク（ＨＤＤ）３０４、ソフトウェア更新処理の処理結果などを表示するディスプレイ３０５、作業員が操作するためのキーボード３０６を備えている。
【００２６】
電子機器１０は、外部機器と通信を行う機能を有しているＷｉＦｉ  Ｉ／Ｆ１１６より受信したファームウェアをフラッシュＲＯＭ１０２に記憶させる。メインＣＰＵ１１４は、ファームウェアをフラッシュＲＯＭ１０２に記憶させる処理が完了したら、ＮＦＣデバイス１０１のデータ保持部１０５にファームウェアの版数情報を記憶させる。また、データ保持部１０５はファームウェアの更新完了情報およびファームウェアの版数情報を記憶しており、ファームウェアが更新される毎にメインＣＰＵ１１４が情報を更新する。ファームウェアの更新フローは図４ないし図６を用いて後述する。
【００２７】
図３は、本発明の一実施例における電子機器および保守端末の構成を説明する図である。
図３において、保守端末３１は、ＷｉＦｉ  Ｉ／Ｆ３０１を有し、電子機器１０が有しているＷｉＦｉ  Ｉ／Ｆ１１６とＷｉＦｉ通信方式を用いて電子機器１０と通信を行い、ファームウェアの送信および電子機器１０の情報の送受信を行う。図３に示すように保守端末３１はＮＦＣコントローラ３１１およびＮＦＣ送受信部３１２を内蔵してもよい。
【００２８】
次に、本発明の一実施例における電子機器の情報管理方法を図４ないし図６を用いて説明する。
図４は、電子機器がファームウェアの更新対象であるかどうか判定処理を説明するフローチャートである。
図５および図６は、電子機器に対するファームウェア更新処理を説明するフローチャートである。
本実施例では、ソフトウェア確認端末２０および保守端末３０または３１を、別々の端末とする例を示しているが、本発明の電子機器の情報管理方法はソフトウェア確認端末２０および保守端末３０または３１の両方を用いて行われる処理であり、また、ソフトウェア確認端末２０および保守端末３０または３１は1つの端末で実現してもよいことから、図４ないし図６のフローチャートは、ソフトウェア確認端末２０および保守端末３０または３１の両方の処理を含むフローチャートとしている。
【００２９】
まず、ソフトウェア確認端末の操作部（図示せず）を作業員が操作することによりＮＦＣ送受信部より電子機器のＮＦＣ送受信部に電源を供給して、ソフトウェア確認端末のＮＦＣコントローラが電子機器のデータ保持部にアクセスする（Ｓ４０１）。ソフトウェア確認端末のＮＦＣコントローラは、電子機器のデータ保持部に記憶されているファームウェア更新完了情報およびファームウェア版数情報を受信し、ソフトウェア確認端末の表示部に表示する（Ｓ４０２）。ソフトウェア確認端末の表示部に表示した情報に基づいて作業員がファームウェア更新対象ではないと判断した場合、または予めソフトウェア確認端末に設定してある版数情報に基づいてソフトウェア確認端末がファームウェア更新対象ではないと判断した場合には、ファームウェア更新作業は終了となる。ソフトウェア確認端末の表示部に表示した情報に基づいて作業員がファームウェア更新対象と判断し更新指示を入力した場合、または予めソフトウェア確認端末に設定してある版数情報に基づいてソフトウェア確認端末がファームウェア更新対象であると判断した場合には、図５のファームウェア更新処理を行う（Ｓ４０３）。
【００３０】
図５のファームウェア更新処理では、まずファームウェア更新対象の電子機器であった場合は、保守端末を用いてファームウェアの更新処理を行う。
まず、保守端末は、電子機器の電子スイッチをＯＮにする制御を行い、ＮＦＣ送受信部からメインＣＰＵ、メインメモリ、バススイッチ、フラッシュＲＯＭ、ＷｉＦｉ  Ｉ／Ｆに給電を開始する（Ｓ４０４）。
保守端末は、ＷｉＦｉ  Ｉ／Ｆより電子機器のＷｉＦｉ  Ｉ／ＦとＷｉＦｉ認証を行いＷｉＦiによる通信を開始する（Ｓ４０５）。保守端末は、電子機器に対して応答要求情報を送信する（Ｓ４０６）。応答要求情報を受信した電子機器は応答要求情報に対して応答情報を送信し、保守端末は電子機器からの応答情報を受信する（Ｓ４０７）。応答情報を受信した保守端末は、電子機器に対して機器認証情報を送信する（Ｓ４０８）。保守端末は機器認証情報を送信した回数をカウントし（Ｓ４０９）、電子機器の応答を待つ。
保守端末が送付した機器認証情報に電子機器が応答した場合、保守端末は電子機器にファームウェアの送信を開始することを示す情報を送信する（Ｓ４１４）。電子機器より応答情報を受信（Ｓ４１５）したら、保守端末は電子機器に対してファームウェアの送信を開始する（Ｓ４１６）。
【００３１】
保守端末が送付した機器認証情報に電子機器が応答しない場合、保守端末はカウントした機器認証情報の送信回数（Ｓ４０９）と設定されている機器認証情報の送信回数と比較を行う（Ｓ４１１）。機器認証情報の送信回数が設定された機器認証情報の送信回数を下回っていた場合は、再度、電子機器に対して機器認証情報を送信する（Ｓ４０６）処理を行う。機器認証情報の送信回数が設定された機器認証情報の送信回数以上となった場合には、機器認証情報の送信を停止し（Ｓ４１２）、機器認証情報に応答がなかったことを保守端末のディスプレイに表示し、電子機器の電子スイッチをＯＦＦにする制御を行い、ＮＦＣ送受信部からのメインＣＰＵ、メインメモリ、バススイッチ、フラッシュＲＯＭ、ＷｉＦｉ  Ｉ／Ｆへの給電を停止する（Ｓ４１３）。
【００３２】
図６に進み、保守端末は、ファームウェアの送信が終了すると、送信が終了したことを示す送信終了情報を電子機器に送信する（Ｓ４１７）。電子機器のメインＣＰＵは、送信終了情報に対する応答としてのファームウェアの受信結果情報をＷｉＦｉ  Ｉ／Ｆを経由して保守端末に送信し、保守端末はこの受信結果情報を受信する（Ｓ４１８）。電子機器からの受信結果情報は、送信されたファームウェアが正しく受信されたか否かを示す情報を含んでおり、保守端末はファームウェアの再送の必要性を判定する（Ｓ４１９）。
【００３３】
電子機器が正しくファームウェアを受信して、ファームウェアを再送する必要がない場合、保守端末は、電子機器に対してファームウェアを更新させる指示を行う（Ｓ４２０）。電子機器のメインＣＰＵは、フラッシュＲＯＭに受信したファームウェアを記憶させ、ＮＦＣデバイスのデータ保持部にファームウェア更新完了情報およびファームウェアの版数情報を記憶させる。更に電子機器のメインＣＰＵは、ＷｉＦｉ  Ｉ／Ｆを経由して保守端末にファームウェア更新終了情報を送信する（Ｓ４２１）。保守端末はファームウェア更新終了情報を受信したら電子機器にファームウェア更新終了情報を送信し、電子機器が電子スイッチをＯＦＦし、ＮＦＣ送受信部からのメインＣＰＵ、メインメモリ、バススイッチ、フラッシュＲＯＭ、ＷｉＦｉ  Ｉ／Ｆへの給電を停止するよう制御する（Ｓ４２２）。
【００３４】
ステップ４１９において、電子機器が正しくファームウェアを受信しておらず、ファームウェアを再送する必要がある場合、保守端末は電子機器にファームウェアの再送信を開始することを示す情報を送信する（Ｓ４２３）。電子機器より応答情報を受信（Ｓ４２４）したら、保守端末は電子機器に対してファームウェアの再送信を開始する（Ｓ４２５）。保守端末は、ファームウェアの再送信回数をカウントし（Ｓ４２６）、ファームウェアの再送信が終了すると、送信が終了したことを示す送信終了情報を電子機器に送信する（Ｓ４２７）。電子機器は送信終了情報に対する応答としてのファームウェアの受信結果情報をメインＣＰＵがＷｉＦｉ  Ｉ／Ｆを経由して保守端末に送信し、保守端末は電子機器から受信結果情報を受信する（Ｓ４２８）。電子機器からの受信結果情報は、送信されたファームウェアが正しく受信されたか否かを示す情報を含んでおり、保守端末はファームウェアの再送の必要性を再判定する（Ｓ４２９）。
電子機器が正しくファームウェアを再受信して、ファームウェアを再送する必要がない場合、前述のステップ４２０ないしステップ４２２を行う。
【００３５】
ステップ４２９において、電子機器が正しくファームウェアを受信しておらず、ファームウェアを再送する必要がある場合、保守端末はステップ４２６でカウントしたファームウェアの送信回数と設定されているファームウェアの送信回数と比較を行う（Ｓ４３０）。ファームウェアの送信回数が設定されたファームウェアの送信回数を下回っていた場合は、再度、保守端末は電子機器にファームウェアの再送信を開始する情報を送信する（Ｓ４２３）処理を行う。ファームウェアの送信回数が設定されたファームウェアの送信回数以上の場合には、ファームウェアの送信を停止し（Ｓ４３１）、電子機器がファームウェアを受信できなかったことを保守端末のディスプレイに表示し、電子機器の電子スイッチをＯＦＦにする制御を行い、電子機器のＮＦＣ送受信部からのメインＣＰＵ、メインメモリ、バススイッチ、フラッシュＲＯＭ、ＷｉＦｉ  Ｉ／Ｆへの給電を停止する （Ｓ４３２）。
【実施例２】
【００３６】
図７は、本発明の一実施例における電子機器の情報管理システムの構成を説明する図である。
本実施例においては、電子機器の情報管理システムは、電子機器１１と、電子機器１１のファームウェアの版数情報を確認するソフトウェア確認端末２０と、電子機器１１のファームウェアの更新処理を行う保守端末３１と、電子機器３１に非接触で電力を供給する非接触電力伝送送信機４０から構成される。
【００３７】
本実施例において、ソフトウェア確認端末２０は、実施例１と同様の構成である。保守端末３１は、ＮＦＣデバイス７０１と、ファームウェアを格納するフラッシュＲＯＭ７０２と、ＷｉＦｉデバイス７０３と、非接触電力伝送受信機７０４を具備する。
【００３８】
ソフトウェア確認端末２０の操作部（図示せず）を作業員が操作することにより、ＮＦＣ送受信部２０２より電子機器１１のＮＦＣデバイス７０１に電源が供給される。ソフトウェア確認端末２０のＮＦＣコントローラ２０１は、電子機器１１のＮＦＣデバイス７０１にアクセスし、ＮＦＣデバイス７０１のデータ保持部に記憶されているファームウェア更新完了情報およびファームウェアの版数情報を受信し、それらの情報を表示部２０３に表示する。
【００３９】
ファームウェア更新対象の電子機器１１であるかどうかの判定処理は実施例１と同様である。
【００４０】
図８は、本発明の一実施例における電子機器および保守端末の構成を説明する図である。
電子機器１１は、ＮＦＣデバイス７０１と、メインＣＰＵ７１４と、メインメモリ７１３と、バススイッチ７１５と、フラッシュＲＯＭ７０２と、ＷｉＦｉ  Ｉ／Ｆ７１６を有するＷｉＦｉデバイス１０３と、電子スイッチ７１１と、信号処理部７１２と、非接触電飾伝送受信機７０４を備えている。
【００４１】
本実施例においては、ソフトウェア確認端末２０のＮＦＣ送受信部２０２よりＮＦＣデバイス７０１に供給された電源容量で、ファームウェアの更新に必要なメインＣＰＵ７１４、メインメモリ７１３、バススイッチ７１５、フラッシュＲＯＭ７０２、ＷｉＦｉデバイス７０３の各部を動作させることが困難な場合、非接触電力伝送送信機４０から非接触電力伝送受信機７０４に電源を供給し、保守端末３１がファームウェアの更新を行う。
【００４２】
図９、図１０は、本発明の一実施例における電子機器に対するファームウェア更新処理を説明するフローチャートである。
図９に至るフローは図４のフローの通りである。
【００４３】
ファームウェア更新対象の電子機器であると判定された場合、保守端末は電子機器の電子スイッチを制御して、非接触電力伝送受信機をＯＮにし、非接触電力伝送受信機が非接触電力伝送送信機より給電を受け、メインＣＰＵ、メインメモリ、バススイッチ、フラッシュＲＯＭ、ＷｉＦｉ  Ｉ／Ｆに給電を開始する（Ｓ５０４）。
【００４４】
ステップ５０５からステップ５１２までの処理、およびステップ５１４からステップ５１６までの処理は、実施例１のステップ４０５からステップ４１２までの処理、およびステップ４１４からステップ４１６までの処理と同様である。本実施例においては、機器認証情報の送信回数が設定された機器認証情報の送信回数以上となった場合は、機器認証情報の送信を停止（Ｓ５１２）した後、機器認証情報に応答がなかったことを保守端末のディスプレイに表示し、電子機器の電子スイッチをＯＦＦするよう制御し、電子機器の非接触電力伝送受信機からメインＣＰＵ、メインメモリ、バススイッチ、フラッシュＲＯＭ、ＷｉＦｉ  Ｉ／Ｆへの給電を停止する（Ｓ５１３）。
【００４５】
図１０において、ステップ５１７からステップ５２１までの処理、およびステップ５２３ないしステップ５３１までの処理は、実施例１のステップ４１７からステップ４２１までの処理およびステップ４２３からステップ４３１までの処理と同様である。
保守端末は、ＮＦＣデバイスに更新完了記録およびファームウェア版数情報の書き込みを完了した電子機器からファームウェア更新終了情報を受信すると（Ｓ５２１）、電子機器に対しファームウェア更新終了情報を送信し、電子機器が電子スイッチをＯＦＦし、電子機器の非接触電力伝送受信機からメインＣＰＵ、メインメモリ、バススイッチ、フラッシュＲＯＭ、ＷｉＦｉ  Ｉ／Ｆへの給電を停止するよう制御する（Ｓ５２２）。
【００４６】
ステップ５３０において、ファームウェアの送信回数が設定されたファームウェアの送信回数と同じ回数を超えている場合は、ファームウェアの送信を停止し（Ｓ５３１）、電子機器がファームウェアを受信できなかったことを保守端末のディスプレイに表示し、電子機器の電子スイッチをＯＦＦし、電子機器の非接触電力伝送受信機からメインＣＰＵ、メインメモリ、バススイッチ、フラッシュＲＯＭ、ＷｉＦｉ  Ｉ／Ｆへの給電を停止するよう制御する（Ｓ５３２）。
【符号の説明】
【００４７】
１０、１１  電子機器
２０  ソフトウェア確認端末
３０、３１  保守端末
４０  非接触電力伝送送信機
１０１、７０１  ＮＦＣデバイス
１０２、７０２  フラッシュＲＯＭ
１０３、７０３  ＷｉＦｉデバイス
１０４、２０２、３１２  ＮＦＣ送受信部
１０５  データ保持部
１１１、７１１  電子スイッチ
１１２、７１２  信号処理部
１１３、７１３  メインメモリ
１１４、７１４  メインＣＰＵ
１１５、７１５  バススイッチ
１１６、３０１、７１６  ＷｉＦｉ  Ｉ／Ｆ
２０１、３１１  ＮＦＣコントローラ
２０３  表示部
３０２  ＣＰＵ
３０３  メモリ
３０４  ＨＤＤ
３０５  ディスプレイ
３０６  キーボード
７０４  非接触電力伝送受信機
【図１】
2016099848.tif 000003
【図２】
2016099848.tif 000004
【図３】
2016099848.tif 000005
【図４】
2016099848.tif 000006
【図５】
2016099848.tif 000007
【図６】
2016099848.tif 000008
【図７】
2016099848.tif 000009
【図８】
2016099848.tif 000010
【図９】
2016099848.tif 000011
【図１０】
2016099848.tif 000012